(57)【要約】【課題】従来のアルカリイオン整水器のカルシウム添加部シール構造においては、製品の天面から水がかかった場合には、製品の本体ケースとカルシウム容器の間からの水の浸入を防ぐ構造となっていなかった。【解決手段】本発明のアルカリイオン整水器のカルシウム添加部シール構造は、カルシウム容器上部方向に外径が広がるリブを設け、カルシウム容器窓部に設置されたシート状の弾性体１５により、グリセロリン酸カルシウム製剤が投入されたカルシウムホルダをカルシウム容器６に挿入することによる水の本体内部への浸入を防ぐと同時に、製品本体を組み立てた際に、本体ケースによってシート状の弾性体１５が広げられ、製品の天面から水がかかった場合に、製品の本体ケースとカルシウム容器６の間からの水の浸入を防ぐ構造を兼ね備えたことを特徴とする。【選択図】図２
2005211813.tif 000002
【特許請求の範囲】
【請求項１】
アルカリイオン整水器のカルシウム添加部シール構造において、本体内に設けられたカルシウム容器にカルシウム添加筒を挿入する場合に、カルシウム容器内の滞留水が本体内部に浸入することを防ぐ為のシート状の弾性体を利用して、カルシウム容器の軸にリブを設けることにより、シート状の弾性体に膨らみを設け、製品組立時に製品上面からの水の浸入を防ぐシール構造を形成することを特徴とするアルカリイオン整水器。
【発明の詳細な説明】
【技術分野】
【０００１】
本発明は、水道水等の原水を電気分解して、飲用、医療用として利用するアルカリイオン水、及び化粧水、殺菌洗浄水等として利用する酸性イオン水を製造するためのアルカリイオン整水器に関するものである。
【背景技術】
【０００２】
近年、連続電解方式のイオン生成器としてアルカリイオン整水器が普及している。このアルカリイオン整水器は電解槽内で水道水等を電気分解して、陽極側に酸性イオン水を生成し、陰極側にアルカリイオン水を生成するものである。
【０００３】
以下、従来の連続電解方式のアルカリイオン整水器について説明する。図５は従来のアルカリイオン整水器の構造図である。図５において、水道水が給水管１より本体通水路２に流入し、水道水を浄化するためのろ材が内臓されたカートリッジ３へ導かれ、浄化された水道水は本体通水路４へ流入し、通水量の積算を検知するために設けられた流量センサー５、カルシウム容器６を通過し、水を電気分解してアルカリイオン水、酸性イオン水を生成する電解槽７へと流入し、電解槽７で生成された水はそれぞれ吐出管８と排水管９に導かれ本体より流出する構成および水の流れとなっている。水の流れはＡ→Ｆとなる。また、吐出管８および排水管９から流出される水は本体表面に設けられた操作パネル１０による水質選択操作でアルカリイオン水、酸性イオン水、浄水が流出するかは異なるものである。
【０００４】
次に、従来のカルシウムの添加構造について説明する。図４は従来のアルカリイオン整水器のカルシウム添加部構造図である。図４において、カルシウムホルダ１１の中にグリセロリン酸カルシウム製剤（粉末状）を投入し、カルシウム添加プラグ１２でカルシウムホルダを固定し、カルシウム容器６に挿入する。この時、カルシウム容器６には窓部１３が２箇所設置されており、カルシウム添加プラグ１２のリブを、カルシウム容器６の窓部１３に挿入することによって固定され、Ｏリング１４により通水時の水漏れを防ぐ機構となっている。また、カルシウム容器６に水が滞留していた場合、グリセロリン酸カルシウム製剤が投入されたカルシウムホルダ１１をカルシウム容器６に挿入すると、水が溢れて本体内部に水が浸入する為、それを防ぐ目的でシート状の弾性体１５がカルシウム容器６の窓部１３周囲に設置されている。以上の作業を終了し、アルカリイオン整水器に水を通水すると、カルシウム容器６上部側面より下部へ水が流れ、グリセロリン酸カルシウム製剤を溶かす構造となっている。
【特許文献１】特開平７−２２２９８１号公報
【発明の開示】
【発明が解決しようとする課題】
【０００５】
従来のアルカリイオン整水器のカルシウム添加部シール構造においては、カルシウム容器６に水が滞留していた場合、グリセロリン酸カルシウム製剤が投入されたカルシウムホルダ１１をカルシウム容器６に挿入することによる水の本体内部への浸入を防ぐ為に、カルシウム容器６の窓部１３にシート状の弾性体１５を設けていた。しかしながら、図４において、製品の天面から水がかかった場合には、製品の本体ケース１６とカルシウム容器６の間からの水の浸入を防ぐ為のシール機構を設けていなかった為、本体内部に水が浸入することを防ぐ構造となっていなかった。
【０００６】
そこで本発明は、上記従来の問題点を解決するもので、グリセロリン酸カルシウム製剤が投入されたカルシウムホルダ１１をカルシウム容器６に挿入することによる水の本体内
部への浸入を防ぐと同時に、製品の天面から水がかかった場合にも本体内部への水の浸入を防ぐ機構を兼ね備えたカルシウム添加部シール構造とするアルカリイオン整水器を提供することを目的とする。
【課題を解決するための手段】
【０００７】
上記課題を解決するために本発明のアルカリイオン整水器のカルシウム添加部シール構造は、カルシウム容器上部方向に外径が広がるリブを設け、カルシウム容器窓部に設置されたシート状の弾性体により、グリセロリン酸カルシウム製剤が投入されたカルシウムホルダをカルシウム容器に挿入することによる水の本体内部への浸入を防ぐと同時に、製品本体を組み立てた際に、本体ケースによってシート状の弾性体が広げられ、製品の天面から水がかかった場合に、製品の本体ケースとカルシウム容器の間からの水の浸入を防ぐ構造を兼ね備えたことを特徴とする。これにより、Ｏリングを追加せずに、本体内部に水の浸入を防ぐ十分なシール構造を有するアルカリイオン整水器が得られる。
【発明の効果】
【０００８】
本発明の、アルカリイオン整水器のカルシウム添加部シール構造は、カルシウム容器上部方向に外径が広がるリブを設け、カルシウム容器窓部に設置されたシート状の弾性体により、グリセロリン酸カルシウム製剤が投入されたカルシウムホルダをカルシウム容器に挿入することによる水の本体内部への浸入を防ぐと同時に、製品本体を組み立てた際に、本体ケースによってシート状の弾性体が広げられ、製品の天面から水がかかった場合に、製品の本体ケースとカルシウム容器の間からの水の浸入を防ぐ構造を兼ね備えることによって、Ｏリングを追加せずに、本体内部に水の浸入を防ぐ十分なシール構造を有するアルカリイオン整水器が得られる。
【発明を実施するための最良の形態】
【０００９】
上記課題を解決するためになされた発明は、アルカリイオン整水器のカルシウム添加部シール構造において、本体内に設けられたカルシウム容器にカルシウム添加筒を挿入する場合に、カルシウム容器内の滞留水が本体内部に浸入することを防ぐ為のシート状の弾性体を利用して、カルシウム容器の軸にリブを設けることにより、シート状の弾性体に膨らみを設け、製品組立時に製品上面からの水の浸入を防ぐシール構造を形成することを特徴とするアルカリイオン整水器のカルシウム添加部シール構造とした。この構造によれば、Ｏリングを追加せずに、本体内部に水の浸入を防ぐ十分なシール構造を有するアルカリイオン整水器が得られる。
【００１０】
（実施例１）
以下、本発明の実施例１について図面を用いて説明する。図１は本発明の実施例１におけるアルカリイオン整水器の外観図、図２は本発明の実施例１におけるアルカリイオン整水器の構造図、図３は本発明の実施例１におけるアルカリイオン整水器のカルシウム添加部構造図である。図１、図２、図３において、従来のアルカリイオン整水器の説明で用いた符号と同一符号のものは、実施例１のアルカリイオン整水器においても基本的に同一であるため、詳細な説明は従来のアルカリイオン整水器の説明に譲って省略する。
【００１１】
図１、図２、図３に示すように、１は水道水を本体へ供給する給水管、２は給水管１を介して供給された水道水の本体通水路、３は水道水を浄化するためのろ材が内臓されたカートリッジ、４は浄化された水道水の本体通水路、５は通水量の積算を検知するために設けられた流量センサー、６はカルシウムの添加に用いるカルシウム容器、７は水を電気分解してアルカリイオン水、酸性イオン水を生成する電解槽、電解槽７で生成された水を本体から吐水させる吐出管８と排水管９、１０は操作でアルカリイオン水、酸性イオン水、浄水のいずれかを水質選択できる操作パネルが設けられている。次に、水の流れを簡単に説明する。水道水が給水管１より本体通水路２に流入し、水道水を浄化するためのろ材が
内臓されたカートリッジ３へ導かれ、浄化された水道水は本体通水路４へ流入し、通水量の積算を検知するために設けられた流量センサー５へ流出し、カルシウム容器６、電解槽７と通過し、電気分解された水が操作パネル１０によって選択された水質に応じて吐出管８、排水管９より吐水される。水の流れを記号で示すとＡ→Ｇとなる。次に、カルシウム添加部シール構造を説明する。グリセロリン酸カルシウム製剤（粉末状）が投入されたカルシウムホルダ１１をカルシウム添加プラグ１２で固定し、カルシウム容器６に挿入する。この時、カルシウム添加プラグ１２のリブを固定する為にカルシウム容器６に窓部１３が２箇所設置されており、この窓部１３からカルシウム容器６に滞留していた水が溢れて本体内部に水が浸入するのを防ぐ為にシート状の弾性体１５がカルシウム容器６の窓部１３周囲に設置されている。このカルシウム容器６に滞留していた水が溢れて本体内部に水が浸入するのを防ぐ為のシート状の弾性体１５を、カルシウム容器６に設置した場合に、カルシウム容器６の上部方向に外径が広がる形状のリブにより、上部方向に広げられる。上部方向に広げられたシート状の弾性体１５に対し、上部から本体ケース１６を挿入することにより、シート状の弾性体１５が本体ケース１６に押されて、さらに広げられると同時に、本体ケース１６に密着する。以上の組立により、カルシウム容器６のリブ部１７によって広げられたシート状の弾性体１５により、本体ケースとカルシウム容器との間にある隙間から本体内部に水が浸入することを防ぐことができる。
【産業上の利用可能性】
【００１２】
本発明にかかるアルカリイオン整水器のカルシウム添加部シール構造は、カルシウム容器上部方向に外径が広がるリブを設け、カルシウム容器窓部に設置されたシート状の弾性体により、グリセロリン酸カルシウム製剤が投入されたカルシウムホルダをカルシウム容器に挿入することによる水の本体内部への浸入を防ぐと同時に、製品本体を組み立てた際に、本体ケースによってシート状の弾性体が広げられ、製品の天面から水がかかった場合に、製品の本体ケースとカルシウム容器の間からの水の浸入を防ぐ構造を兼ね備えることによって、台所に設置して水を天面から流された場合でも本体内部に水の浸入がない構造であるため、飲用、医療用として利用するアルカリイオン水及び化粧水、殺菌洗浄水等として利用する酸性イオン水を製造するアルカリイオン整水器等として有用である。
【図面の簡単な説明】
【００１３】
【図１】本発明の実施例１におけるアルカリイオン整水器の外観図
【図２】本発明の実施例１におけるアルカリイオン整水器の構造図
【図３】本発明の実施例１におけるアルカリイオン整水器のカルシウム添加部構造図
【図４】従来のアルカリイオン整水器のカルシウム添加部構造図
【図５】従来のアルカリイオン整水器の構造図
【符号の説明】
【００１４】
１    給水管
２    本体通水路
３    カートリッジ
４    本体通水路
５    流量センサー
６    カルシウム容器
７    電解槽
８    吐出管
９    排水管
１０    操作パネル
１１    カルシウムホルダ
１２    カルシウム添加プラグ
１３    窓部
１４    Ｏリング
１５    シート状の弾性体
１６    本体ケース
１７    リブ部
【図１】
2005211813.tif 000003
【図２】
2005211813.tif 000004
【図３】
2005211813.tif 000005
【図４】
2005211813.tif 000006
【図５】
2005211813.tif 000007